(57)【要約】【課題】      耐久性に優れると共に、景観性や土地の有効利用性にも優れた屋外照明灯を提供する。【解決手段】  コンクリート製のポール12の上端部に、ポール12の外径と略同等の内径を有し且つポール12の軸方向に沿って延ばされた鋳鉄製のアーム14を取着し、このアーム14の内部に点灯回路46を内蔵することにより、屋外照明灯10上端部の重心がポール12の軸上から大きく外れることがなく、ポール12下側の地上部近傍の所定位置に応力が集中するのを防止することができる。また、別途点灯回路46を収納するボックスを設けたり、コンクリート製のポール12の下段部を太径にする必要がなく、景観性を高めることができ、ポールを設置した地上部のスペースも十分に確保することができる。【選択図】    図１
0003106448.tif 000002
【実用新案登録請求の範囲】
【請求項１】
地面に立設されるコンクリート製のポールと、
前記ポールの上端部に連結され、前記ポールの外径と略同等の内径を有し且つ前記ポールの軸方向に沿って延ばされると共に、その内部に安定器やカットアウトスイッチを含む点灯回路が内蔵された鋳鉄製のアームと、
前記アームに接続され、前記点灯回路によって点灯される灯具とで構成されていることを特徴とする屋外照明灯。
【考案の詳細な説明】
【技術分野】
【０００１】
本考案は、屋外に設置され、街路灯，公園灯および防犯灯などとして使用される屋外照明灯に関するものである。
【背景技術】
【０００２】
従来から、市街地などにおいては、夜間の交通の安全等を確保できるように街路灯，公園灯および防犯灯などとして屋外照明灯が設けられている。この屋外照明灯は、ポール(灯柱)の下端部を地中に埋め込み、その上端部に灯具を取り付けたものであり、ポールとして鋼管を使用したものがよく知られている。
【０００３】
しかしながら、鋼管製のポールは腐食の恐れがあり、ＰＬ法上その耐用年数は１５年と定められている。このように耐用年数が１５年と短い鋼管製のポールでは、耐用年数を迎えたものを頻繁に交換しなければならず、保守管理が面倒であるという問題があった。
【０００４】
かかる問題を解決し得る技術として、コンクリート製のポールを用いた屋外照明灯が挙げられる。具体例として、図６(A)に示すように、立設したコンクリート製のポール(1)の上端側周面に、安定器やカットアウトスイッチを含む点灯回路が収納されたボックス(2a)と、この点灯回路によって点灯される放電灯などの灯具(2b)とを備えた照明器具(2)を取付けた物(3)（例えば、特許文献１参照。）や、図６(B)に示すように、内部に点灯回路を収容すべく地上に近い下段部(4a)を中空太径に形成したコンクリート製のポール(4)を用いた物(5)などが挙げられる。
【０００５】
コンクリート製のポール(1)(4)を用いたこれらの屋外照明灯(3)(5)では、ポール(1)(4)の腐食の問題がなくなるため、屋外照明灯(3)(5)の保守管理の負担を軽減することができる。
【特許文献１】特開平８−２２２３８３号公報（第１図）
【考案の開示】
【考案が解決しようとする課題】
【０００６】
しかしながら、図６(A)に示した屋外照明灯(3)では、ポール(1)の上端側周面に重量物であるボックス(2a)などを取着しているので、屋外照明灯(3)上端部の重心がポール(1)の軸上から大きく外れるようになる。このため、強風などによって屋外照明灯(3)が大きく揺れた際、ポール(1)下側の地上部近傍の所定位置に応力が集中して当該部分(応力集中箇所)の負担が大きくなる。その結果、腐食の問題がないコンクリート製のポール(1)を用いたとしても耐久性に劣るようになる。また昨今、屋外照明灯は、単に夜間照明というその本来の機能を満たすだけでなく、周囲環境を装飾したり、見る人に興趣を感じさせ得る等の景観性の高いものが求められてきているが、ポール(1)の上端側周面にボックス(2a)などを取着したものでは、周囲の景観を損ねるという問題もあった。
【０００７】
一方、図６(B)に示した屋外照明灯(5)では設置の際に地上部の設置スペースを大きく取る必要があり、屋外照明灯(5)周囲の土地を有効に利用することができなくなるという問題があった。
【０００８】
それゆえに、本考案の主たる課題は、耐久性に優れると共に、景観性や土地の有効利用性にも優れた屋外照明灯を提供することである。
【課題を解決するための手段】
【０００９】
請求項１に記載した考案は、「地面(G)に立設されるコンクリート製のポール(12)と、ポール(12)の上端部に連結され、ポール(12)の外径と略同等の内径を有し且つポール(12)の軸方向に沿って延ばされると共に、その内部に安定器(42)やカットアウトスイッチ(44)を含む点灯回路(46)が内蔵された鋳鉄製のアーム(14)と、アーム(14)に接続され、点灯回路(46)によって点灯される灯具(16)とで構成されている」ことを特徴とする屋外照明灯(10)である。
【００１０】
本考案の屋外照明灯(10)では、腐食の問題がないコンクリート製のポール(12)の上端部に、ポール(12)の外径と略同等の内径を有し且つポール(12)の軸方向に沿って延ばされた鋳鉄製のアーム(14)を取着し、このアーム(14)の内部に点灯回路(46)を内蔵するようにしているので、屋外照明灯(10)上端部の重心がポール(12)の軸上から大きく外れることはない。このため、強風などによって屋外照明灯(10)が大きく揺れたとしても、ポール(12)下側の地上部近傍の所定位置に応力が集中するのを防止することができる。
【００１１】
また、このようなアーム(14)の内部に安定器(42)やカットアウトスイッチ(44)を含む点灯回路(46)を内蔵するようにしているので、別途点灯回路(46)を収納するボックスを設けたり、コンクリート製のポール(12)の下段部を太径にする必要がない。
【考案の効果】
【００１２】
本考案によれば、コンクリート製のポールの上端部に、ポールの外径と略同等の内径を有し且つポールの軸方向に沿って延ばされた鋳鉄製のアームを取着し、このアームの内部に点灯回路を内蔵しているので、強風などによって屋外照明灯が大きく揺れたとしても、ポール下側の地上部近傍の所定位置に応力が集中するのを防止することができ、屋外照明灯の耐久性を向上させることができる。
【００１３】
また、点灯回路を収納するボックスを別途準備してこれをポールに取着したり、ポールの下段部を太径にする必要がないため、耐久性の高いコンクリート製のポールを用いた場合であっても、屋外照明灯が周囲の景観性を損なうことがなく、ポールを設置した地上部のスペースも十分に確保することができる。
【００１４】
したがって、耐久性に優れると共に、景観性や土地の有効利用性にも優れた屋外照明灯を提供することができる。
【考案を実施するための最良の形態】
【００１５】
以下、本考案を図示実施例に従って説明する。図１および２は本考案の屋外照明灯(10)の概要を示したものであり、大略、ポール(12)、アーム(14)および灯具(16)などで構成されている。
【００１６】
ポール(12)は、長期間屋外に設置しても腐食の問題がないコンクリートからなり、その内部に空洞(12a)が設けられた長尺の管状部材である(図２参照)。このポール(12)の地中に埋設される下端部の側面には空洞(12a)に連通するケーブル引出口(18)が穿設されており、このケーブル引出口(18)から空洞(12a)を通ってポール(12)の上端部まで電源ケーブル(20)が延ばされている。また、ポール(12)は下端から上端に向けてその外径が僅かながらテーパー状に縮径するように形成されており、下端部側面には根かせ(22)が取付けられている。このようにすることで、地面(G)にポール(12)を立設した際、ポール(12)が転倒しないようになっている。
【００１７】
なお、ポール(12)を形成するコンクリートとして着色コンクリートを用いたり、また、ポール(12)の外観形状を擬木調とすることによって、屋外照明灯(10)の審美性や景観性をより高めることができる。
【００１８】
アーム(14)は、ポール(12)と灯具(16)との間に介装されるものであり、ポール(12)の外径と略同等の内径を有し且つポール(12)の軸方向に沿って延ばされた、耐久性の高い鋳鉄製の本体(14a)を有する。この本体(14a)の一端には円筒状の鞘部(14b)が形成されており、この鞘部(14b)とポール(12)の上端部とが嵌め合わされると共に、これらが押しボルト(24)で固定されている。なお、この実施例のアーム(14)では、アーム(14)の内部から後述するパイプ(48)を延出させるため、本体(14a)の上端に開口が設けられている。
【００１９】
また、本体(14a)の一部は、蓋体(14c)として着脱可能に形成されている。常態において蓋体(14c)はボルト(26)で本体(14a)に固定されているが(図３参照)、このような蓋体(14c)を設けることによってアーム(14)の内部が点検できるようになっている。
【００２０】
そして、アーム(14)の内部にはポール(12)とアーム(14)とをより強固に固定するように連結部材(28)が配設されている。
【００２１】
連結部材(28)は、ポール(12)の上端面と略同一の外径を有し且つその中央部にポール(12)の空洞(12a)に対応した開口(30)が設けられた略ドーナツ盤状の下板(28a)と、この下板(28a)の外延部近傍に立設された断面略凹状の垂直片(28b)とで構成されている。下板(28a)には、ポール(12)の上端面に(空洞(12a)を囲むようにして)螺設された複数(本実施例では４つ)のボルト挿通孔(図示せず)に対応する位置に、係止長孔(32)が設けられており、この係止長孔(32)を介してボルト挿通孔にボルト(34)を螺合することによって連結部材(28)とポール(12)とを強固に固着することができる(図３参照)。また、垂直片(28b)の所定位置にも係止孔(36)が設けられており、この係止孔(36)を介してアーム(14)の本体(14a)に螺設されたボルト挿通孔(38)にボルト(40)を螺合することによって連結部材(28)とアーム(14)の本体(14a)とを強固に固着することができる(図４(B)参照)。
【００２２】
そして、連結部材(28)の垂直片(28b)の凹部内面には、安定器(42)やカットアウトスイッチ(44)などの点灯回路部品が取付けられており、これによりアーム(14)の内部に灯具(16)を点灯させる点灯回路(46)が形成される。
【００２３】
また、本実施例の連結部材(28)では、下板(28a)に対面する垂直片(28b)の上端に略ドーナツ盤状の上板(28c)が取付けられており、更にこの上板(28c)の上面には、所定の形状に曲成され、アーム(14)上端に設けられた開口からアーム(14)の外へと延出するステンレス製のパイプ(48)が、その内部をアーム(14)の内部空間と連通するようにして一体的に取着されている。また、パイプ(48)が延出するアーム(14)上端の開口にはパッキン(50)が取付けられており、アーム(14)内部へ水が浸入するのを防止している。そして、このパイプ(48)の先端には灯具(16)が接続されている。
【００２４】
灯具(16)は、地面に向けて光を照射するためのものであり、下方に向けて投光するように設計されたケーシング(16a)、および、このケーシング(16a)に内蔵され、点灯回路(46)によって発光が制御される高圧水銀ランプ，高圧ナトリウムランプ或いはＬＥＤ(発光ダイオード)等からなる光源(図示せず)などで構成されている。
【００２５】
次に、本実施例の屋外照明灯(10)を設置する際には、まず、屋外照明灯(10)を設置する地面(G)の所定位置をオーガなどの掘削機で所定の深さまで掘削する。
【００２６】
続いて、ポール(12)の先端(ポール(12)立設後は上端となる)にアーム(14)を取付けるが、具体的には以下のような手順で行なわれる。すなわち、地中に埋設された電源ケーブル(20)をポール(12)のケーブル引出口(18)から空洞(12a)内に引き込んでポール(12)の先端から引き出すと共に、蓋体(14c)を取外したアーム(14)の鞘部(14b)とポール(12)の先端とを嵌め合わせ、これらを押しボルト(24)で固定する(図４(A)参照)。次いで、パイプ(48)が一体的に取着された連結部材(28)をアーム(14)の本体(14a)内部に位置決めし、上述したように、ボルト(34)および(40)を用いて、ポール(12)およびアーム(14)のそれぞれと連結部材(28)とを接続する(図４(B)参照)。然る後、連結部材(28)の垂直片(28b)に安定器(42)やカットアウトスイッチ(44)などの点灯回路部品を取付けると共に、これらと電源ケーブル(20)とを接続して点灯回路(46)を構成する(図４(C)参照)。そして、ボルト(26)を用いて蓋体(14c)を本体(14a)に固定することによって、ポール(12)へのアーム(14)の取付けが完了する。
【００２７】
続いて、アーム(14)が取付けられたポール(12)をクレーンなどの吊り上げ手段で吊りながら、ポール(12)を所定の設置場所に位置決めする。この際、灯具(16)を接続するパイプ(48)の向きやポール(12)の垂直レベルなども調整する。ポール(12)の位置決めが完了した後、ポール(12)の下端部に根かせ(22)を取付け、掘削した地面(G)の土を埋め戻す。これにより、ポール(12)の立設が完了する。
【００２８】
そして、パイプ(48)の先端に灯具(16)のケーシング(16a)を接続すると共に、(図示しない)光源と点灯回路(46)とを電気的に接続することにより、屋外照明灯(10)の設置が完了する。
【００２９】
なお、上述の設置方法では、ポール(12)を立設した後、アーム(14)(より詳しくはアーム(14)から延出したパイプ(48))に灯具(16)を取付けるようにしているが、アーム(14)に灯具(16)を取付けた後、ポールを立設するようにしてもよい。
【００３０】
以上のように、本実施例によれば、コンクリート製のポール(12)の上端部に、ポール(12)の外径と略同等の内径を有し且つポール(12)の軸方向に沿って延ばされた鋳鉄製のアーム(14)を取着し、このアーム(14)の内部に点灯回路(46)を内蔵するようにしているので、屋外照明灯(10)上端部の重心がポール(12)の軸上から大きく外れることはない。このため、強風などによって屋外照明灯(10)が大きく揺れたとしても、ポール(12)下側の地上部近傍の所定位置に応力が集中するのを防止することができ、屋外照明灯(10)の耐久性を向上させることができる。
【００３１】
また、このようにアーム(14)の内部に安定器(42)やカットアウトスイッチ(44)を含む点灯回路(46)を内蔵するようにしているので、別途点灯回路(46)を収納するボックスを設けたり、コンクリート製のポール(12)の下段部を太径にする必要がなく、耐久性の高いコンクリート製のポール(12)を用いた場合であっても、屋外照明灯(10)が周囲の景観性を損なうのを防止でき(つまり、景観性を高めることができ)、ポールを設置した地上部のスペースも十分に確保することができる。
【００３２】
なお、上述の実施例では、アーム(14)の上部からパイプ(48)を延出し、このパイプ(48)の先端に灯具(16)を取付ける場合を示したが、図５に示すようにアーム(14)の本体(14a)上部を密閉すると共に、本体(14a)の側面を突出させて、この突出部分に灯具(16)を取付けるようにしてもよい。
【図面の簡単な説明】
【００３３】
【図１】本発明の一実施例の屋外照明灯を示す概略図である。
【図２】本発明における一実施例の屋外照明灯の要部を示す説明図である。
【図３】図１におけるI−I線断面図である。
【図４】本発明における屋外照明灯の組立手順の一部を示す説明図である。
【図５】本発明の他の実施例の屋外照明灯を示す概略図である。
【図６】従来の屋外照明灯を示す概略図である。
【符号の説明】
【００３４】
(10)・・・屋外照明灯
(12)・・・ポール
(14)・・・アーム
(16)・・・灯具
(18)・・・ケーブル引出口
(20)・・・電源ケーブル
(22)・・・根かせ
(28)・・・連結部材
(42)・・・安定器
(44)・・・カットアウトスイッチ
(46)・・・点灯回路
(G)・・・地面
【図１】
0003106448.tif 000003
【図２】
0003106448.tif 000004
【図３】
0003106448.tif 000005
【図４】
0003106448.tif 000006
【図５】
0003106448.tif 000007
【図６】
0003106448.tif 000008